(57)【要約】      （修正有）【課題】冷蔵室の各段の個室に左右方向に移動する横開き扉を設け、また冷凍室や野菜室等のように引出式の個室においても、左右方向に移動する横開き扉を設けることによって、室内の物品を取り出す際に、外部に漏れる冷気を最小限に抑え、これによって冷蔵庫の消費電力を抑えて節電効果を向上するようにした冷蔵庫の保冷装置を提供する。【解決手段】冷蔵庫１の冷蔵室２を上下方向に複数の段に仕切る棚部材３が設けられた冷蔵庫において、各段の個室を右側と左側の分室に仕切る仕切り部材８を右側分室と左側分室との間に設けると共に、各段の上下の棚部材又は冷蔵室の天面または底面の前側にガイドレール６ａ，６ｂ，９ａ，９ｂを設け、このガイドレールに沿って移動する左右に配した横開き扉７ａ，７ｂを設けることによって、冷蔵室の右側分室４ａと左側分室４ｂの各分室を左右に配した横開き扉で開閉自在にした。【選択図】図１
2013050289.tif 000002
【特許請求の範囲】
【請求項１】
冷蔵庫の冷蔵室を上下方向に複数の段に仕切る棚部材が設けられた冷蔵庫において、
各段の個室を右側と左側の分室に仕切る仕切り部材を右側分室と左側分室との間に設けると共に、
各段の上下の棚部材又は冷蔵室の天面または底面の前側にガイドレールを設け、
このガイドレールに沿って移動する左右に配した横開き扉を設けることによって、
冷蔵室の右側分室と左側分室の各分室を左右に配した横開き扉で開閉自在にしたことを特徴する冷蔵庫の保冷装置。
【請求項２】
冷蔵庫の冷凍室又は野菜室等の引出室が設けられた冷蔵庫において、
引出室の内部を右側と左側の分室に仕切る仕切り部材を右側分室と左側分室との間に設けると共に、
引出室の上部の前側と後側にガイドレールを設け、このガイドレールに沿って移動自在に左右に配した横開き扉を設けることによって、引出室の右側分室と左側分室の各分室を左右に配した横開き扉で開閉自在にしたことを特徴する冷蔵庫の保冷装置。
【請求項３】
冷蔵庫の外扉の内部の棚空間を左右に仕切る仕切板を設けると共に、
夫々の左右の棚空間を個々に覆う軟質性のカバーを設け、該カバーの左右の各側端部を外扉の左右の側端部に固定する一方、
左右のカバーの他の周縁箇所を磁石又は両面テープ等の着脱自在な固定手段によって取り外し可能に取り付けたことを特徴とする冷蔵庫の保冷装置。
【請求項４】
冷蔵庫の引出室の内部空間を仕切板で左右の空間に仕切ると共に、
該引出室の内部空間の上部を開閉自在に閉塞する蓋部材を設け、該蓋部材に左右の空間を跨ぐ開口部を設け、該開口部にスライド構造で開閉するシャッターを設けたことを特徴とする冷蔵庫の保冷装置。
【発明の詳細な説明】
【技術分野】
【０００１】
本発明は、冷蔵庫の外扉を開けた状態にしたときでも、冷蔵庫内の冷気が外部に漏れ難い構造にして、冷蔵庫内の冷温を保持し、節電に有益となるようにした冷蔵庫の保冷装置に関する。
【背景技術】
【０００２】
一般的に、家庭等で使用している冷蔵庫は、外扉を開けると、冷蔵庫内の冷気が外部に漏れるため、内部温度が上昇し、冷蔵庫に内蔵したサーモスタットが作動して、再びコンプレッサー等の装置が作動する構造とされている。
【０００３】
また、冷蔵庫は、上記のように外扉を開いたときだけではなく、外扉を閉じた状態にしたときでも、外部温度の影響によって冷蔵庫内の温度が設定温度以上に上昇すると、再びコンプレッサー等の装置が作動するものである。
【０００４】
従って、冷蔵庫は、通常の使用状態においては、エアコンのように電源を完全に切った状態にすることができないため、家庭用電気製品の中でも電気消費量が大きいものである。しかも、冷蔵庫の外扉を開いて冷蔵庫内の物を出し入れする頻度と時間に比例して、電気消費量が上昇するのが一般的である。
【０００５】
このため、冷蔵庫の節電を考慮すると、冷蔵庫の外扉を開けたときに、内部の冷気が外部に漏れないように工夫する必要がある。
【０００６】
このための従来の技術として、特許文献１を参照する。この文献の冷蔵庫は、外扉と内蓋部材とによる２重開閉構造としてあり、内蓋部材を上側内蓋部材と下側内蓋部材とで構成してヒンジ構造で折曲自在に連結すると共に、下側内蓋部材の下端部を冷蔵室の下方前部に取り付けて回動自在に取り付けた構造としている。
【０００７】
ところが、このような構造によると、冷蔵庫の外蓋を開けた状態で、冷蔵室内の各段は上側内蓋部材と下側内蓋部材とで閉じられた状態にあるが、上側内蓋部材又は下側内蓋部材は冷蔵室の略全幅にわたって開くため、保冷効果が不十分になるという不都合があった。
【０００８】
また、この文献の構造によると、冷蔵室の各段に収納した物品を取り出すには、上側内蓋部材と下側内蓋部材の蓋部材とを前方向に開く必要がある。さらに、下側内蓋部材において開閉する窓部材の両側には枠部材が取り付けられているため、この両側の枠部材が冷蔵室内に収納した物品の出し入れを妨げるおそれがあった。
【先行技術文献】
【特許文献】
【０００９】
【特許文献１】特開２００６−３０８１８４号公報
【発明の概要】
【発明が解決しようとする課題】
【００１０】
本発明は、上記の特許文献１の内蓋部材のように、冷蔵室の前方向に開くようなヒンジ構造ではなく、冷蔵室の各段の個室に左右方向に移動する横開き扉を設けることによって、各段の物品を取り出す際に、外部に漏れる冷気を最小限に抑え、これによって冷蔵庫の消費電力を抑えて節電効果を向上するようにした冷蔵庫の保冷装置を提供することを目的とする。
【００１１】
また、本発明は、冷凍室や野菜室等のように、引出式の個室であっても、上記と同様に左右方向に移動する横開き扉を設けることによって、室内の物品を取り出す際に、外部に漏れる冷気を最小限に抑え、これによって冷蔵庫の消費電力を抑えて節電効果を向上するようにした冷蔵庫の保冷装置を提供することを目的とする。
【課題を解決するための手段】
【００１２】
上記の問題を解決するために、本発明の請求項１の冷蔵庫の保冷装置は、冷蔵庫の冷蔵室を上下方向に複数の段に仕切る棚部材が設けられた冷蔵庫において、各段の個室を右側と左側の分室に仕切る仕切り部材を右側分室と左側分室との間に設けると共に、各段の上下の棚部材又は冷蔵室の天面または底面の前側にガイドレールを設け、このガイドレールに沿って移動する左右に配した横開き扉を設けることによって、冷蔵室の右側分室と左側分室の各分室を左右に配した横開き扉で開閉自在にしたことを特徴する。
【００１３】
また、本発明の請求項２の冷蔵庫の保冷装置は、冷蔵庫の冷凍室又は野菜室等の引出室が設けられた冷蔵庫において、引出室の内部を右側と左側の分室に仕切る仕切り部材を右側分室と左側分室との間に設けると共に、引出室の上部の前側と後側にガイドレールを設け、このガイドレールに沿って移動自在に左右に配した横開き扉を設けることによって、引出室の右側分室と左側分室の各分室を左右に配した横開き扉で開閉自在にしたことを特徴する。
【００１４】
また、本発明の請求項３の冷蔵庫の保冷装置は、冷蔵庫の外扉の内部の棚空間を左右に仕切る仕切板を設けると共に、夫々の左右の棚空間を個々に覆う軟質性のカバーを設け、該カバーの左右の各側端部を外扉の左右の側端部に固定する一方、左右のカバーの他の周縁箇所を磁石又は両面テープ等の着脱自在な固定手段によって取り外し可能に取り付けたことを特徴とする。
【００１５】
さらに、本発明の請求項４の冷蔵庫の保冷装置は、冷蔵庫の引出室の内部空間を仕切板で左右の空間に仕切ると共に、該引出室の内部空間の上部を開閉自在に閉塞する蓋部材を設け、該蓋部材に左右の空間を跨ぐ開口部を設け、該開口部にスライド構造で開閉するシャッターを設けたことを特徴とする。
【発明の効果】
【００１６】
本発明は上記のように構成されているため、冷蔵室の各段の個室が仕切り部材によって右側分室と左側分室とに仕切られ、このような各段の右側分室と左側分室の前面には、夫々の分室を開閉する左右に配した横開き扉がガイドレールに沿って移動自在に設けられている。
【００１７】
このため、例えば、冷蔵室の右側分室に収納した物品の出し入れを行う際、右側分室の前面の横開き扉を開けることによって、冷気が外方へ漏れることになるが、その段の左側分室は仕切り部材と左側分室の前面の横開き扉によって閉ざされた状態にあるため、左側分室から冷気が漏れることはない。
【００１８】
また、冷蔵室の何れかの段の左右何れかの横開き扉を開けたときは、他の段の右側分室及び左側分室の横開き扉を閉ざしている限り、冷気が外方に漏れるのを最小限に抑えることができるため、従来の冷蔵庫の外扉を開ける場合に比べて大幅に消費電力を削減することができ、節電効果を向上することが可能となる。
【００１９】
また、本発明の冷蔵庫の保冷装置を冷蔵庫の冷凍室又は野菜室等の引出室に設けることによって、引出室の内部を右側分室と左側分室とに仕切る仕切り部材が設けられ、引出室を右側分室と左側分室ごとに左右の横開き扉で開閉することが可能となり、上記の冷蔵室の場合と同様に、従来の冷蔵庫の引出室を開ける場合に比べて大幅に消費電力を削減することができ、節電効果を向上することが可能となる。
【００２０】
また、本発明の冷蔵庫の外扉の棚空間を左右に仕切る仕切板を設け、夫々の左右の空間を覆う透視可能な軟質性のカバーを設けた構成により、外扉を冷蔵庫の本体側から開いたとき、左右の棚空間のカバーが閉じられている場合には、棚空間の内部の冷気が外方に漏れることなく、保冷状態を保つことができる。また、外扉を冷蔵庫の本体側から開いた状態で、左右の何れかのカバーを開けることによって、開けた方の物品を取り出すことが可能となるが、他方のカバーは閉じられているため、その空間は保冷状態を保つことができる。
【００２１】
従って、外扉を開いたとき、従来の冷蔵庫のように、外扉内の棚空間の冷気が一度に外方へ逃げることがなく、物品を取り出す側のカバーを素早くあけて、物品を取り出した後、素早く閉じることによって、外扉の棚空間内は最小限の冷気を失うだけで元の保冷状態を保つことが可能となる。
【００２２】
また、本発明の引出室の内部空間を左右の空間に仕切る仕切板が設けられ、引出室の空間を開閉自在に閉塞する蓋部材が設けられた構成により、引出室を引き出した際にも、蓋部材によって引出室の内部空間が閉じられているため、引出室の内部空間から冷気が一度に漏れることなく、引出室内の保冷状態を保つことが可能となる。
【００２３】
また、引出室から物品を取り出す際には、透視性の蓋部材を通して内部の物品を確かめ、素早く蓋部材を開けることによって物品を取り出してから蓋部材を閉じることにより、引出室の内部空間から失われる冷気を最小限に抑えることが可能となる。
【図面の簡単な説明】
【００２４】
【図１】本発明における実施例１の冷蔵庫の外扉を開けた状態の冷蔵室の前面状況を示す正面図である。
【図２】本発明における実施例１の冷蔵室の内部の状況を示す断面図である。
【図３】本発明における実施例１の冷蔵室の各段の前面に設けた上下のガイドレールと左右に配した横開き扉を示す図であり、（ａ）は上下のガイドレールに左右の横開き扉を取り付けた状態を示す正面図であり、（ｂ）は（ａ）の端面図であり、（ｃ）は上下のガイドレールと左右の横開き扉とを分解した状態を示す正面図であり、（ｄ）は(ｃ)の端面図である。
【図４】本発明における実施例１の冷蔵室の各段に設けた上下のガイドレールと仕切り部材を示す側面図であり、（ａ）は上下の棚部材に設けたガイドレールに仕切り部材を取り付けた状態を示す図であり、（ｂ）は（ａ）の端面図であり、(ｃ)は上下のガイドレールと仕切り部材を分解した状態を示す図であり、(ｄ)は(ｃ)の端面図である。
【図５】本発明における実施例１の横開き扉を案内するガイドレールと仕切り部材を保持するガイドレールとを一体的に構成した状態を示す斜視図である。
【図６】本発明における実施例２の引出室の斜視図である。
【図７】（ａ）は本発明における実施例２の引出室の上部に設けるガイドレールと左右に配した横開き扉の分解図であり、（ｂ）は（ａ）の端面図である。
【図８】（ａ）は本発明における実施例２の引出室の内部に設けるガイドレールと仕切り部材の分解図であり、（ｂ）は（ａ）の端面図である。
【図９】本発明の実施例３の冷蔵庫の外扉を開いた状態を示す正面図であり、左右の棚空間を覆うカバーは取り外した状態にしている。
【図１０】本発明の実施例３の冷蔵庫の外扉を開いた状態を示す斜視図であり、（ａ）は左右の棚空間を覆うカバーを取り付けた状態を示し、（ｂ）は右方のカバーを開いた状態を示す。
【図１１】本発明の実施例４の引出室の斜視図であり、この引出室の蓋部材を開けた状態を示す。
【図１２】本発明の実施例４の引出室の他の実施例を示す平面図である。
【発明を実施するための形態】
【００２５】
以下、本発明の実施例について図面を参照しながら説明する。
【実施例１】
【００２６】
本実施例の冷蔵庫１の保冷装置は、図１又は図２に示すように、冷蔵庫１の上部に設けられた冷蔵室２を上下方向に複数の段に仕切る棚部材３が設けられた各段の個室４ごとに構成することが可能である。
【００２７】
なお、図１は、冷蔵庫１の上部に設けられた冷蔵室２の外扉５を開けた状態を示すものであり、この冷蔵室２は、例えば上下２枚の棚部材３によって、上下方向に３段の個室４に分かれた構成とされている。
【００２８】
ただし、この冷蔵室２の構成は一例であり、冷蔵室２に設けられた複数の棚部材３によって上下方向に仕切られた各個室４に対して本実施例の保冷装置を設けることが可能である。
【００２９】
また、図１に示すように、本実施例においては、上記の冷蔵室２の各段の個室４を右側と左側の分室に仕切る縦状の仕切り部材８（８ａ、８ｂ）を右側分室４ａと左側分室４ｂとの間に設けると共に、各段の上下の棚部材３又は冷蔵室２の天面２ａまたは底面２ｂの前側の上下の位置にガイドレール６ａ、６ｂを設け、このガイドレール６ａ、６ｂに沿って移動する横開き扉７ａ、７ｂを左右に設けることにより、冷蔵室２の右側分室４ａと左側分室４ｂの各分室を左右に配した横開き扉７ａ、７ｂで開閉自在にした構成としている。
【００３０】
このような本実施例の構成について詳細に述べる。図３(ａ)〜(ｄ)において、冷蔵室２の各段の個室４の前面に設けた上下のガイドレール６ａ、６ｂは、図３（ｂ）、（ｄ）に示すように、２条の凹溝６ｃを有する合成樹脂等で作製した長尺の案内部材として形成され、各段の上下の棚部材３又は冷蔵室２の天面２ａまたは底面２ｂの前側の上下の位置に接着剤等で固定される。一方、冷蔵室２の各段の個室４の前面を覆うように左右に配した矩形状の左右の横開き扉７ａ、７ｂが、透明アクリル樹脂板等で作製されている。
【００３１】
このような構成により、図３（ａ）、(ｂ)に示すように、夫々の横開き扉７ａ、７ｂが上下のガイドレール６ａ、６ｂの各凹溝６ｃに収納されることによって、左右の横開き扉７ａ、７ｂがガイドレール６ａ、６ｂの各凹溝６ｃに沿って移動することが可能となる。
【００３２】
なお、横開き扉７ａ、７ｂの表面の所定箇所には取手１１を接着するか、横開き扉７ａ、７ｂの所定箇所の面に取手として機能するように指先を引掛ける溝（不図示）を形成するようにしてもよい。
【００３３】
一方、本実施例においては、図１又は図３（ａ）、(ｃ)に示すように、冷蔵室２の各段の個室４を右側と左側の分室４ａ、４ｂに仕切る縦状の仕切り部材８（８ａ、８ｂ）を右側分室４ａと左側分室４ｂとの間に設けた構成としている。
【００３４】
この仕切り部材８は、図４（ａ）〜(ｃ)に示すように、冷蔵室２の奥行きに応じた長さを有する横長の透明アクリル樹脂板等で作製している。なお、図４（ａ）〜(ｃ)に示すように、仕切り部材８を上下２枚８ａ、８ｂに形成したのは、各段の上下に配したガイドレール９ａ、９ｂの上下の離間幅に応じて、仕切り部材８の上下方向の全体幅を調整するためのものである。即ち、２枚の仕切り部材８ａ、８ｂの夫々の下端面と上端面を重ね合わせ、重ね合せ部８ｃに接着剤や両面接着テープ等で固定することによって上下幅を調整することを可能としている。
【００３５】
なお、この仕切り部材８は各段の個室４の高さに応じて一枚の透明アクリル樹脂板等を用いて製作し、各段の上下に設けたガイドレール９ａ、９ｂの１条の凹溝９ｃに嵌合した状態に固定することも可能である。
【００３６】
なお、本実施例においては、図５に示すように、冷蔵室２の各段の個室４の前面側に設ける上下のガイドレール６ａ、６ｂと奥行方向に設ける上下のガイドレール９ａ、９ｂとをＴ字形に接合した状態にして接着剤等で固定しても良いし、また一体的なＴ字形のガイドレールの形状に成形することも可能である。
【００３７】
本実施例の冷蔵庫１の保冷装置は、上記のように構成されているため、図１に示すように、冷蔵室２の各段の個室４が縦状の仕切り部材８（８ａ、８ｂ）によって右側分室４ａと左側分室４ｂとに仕切られる。
【００３８】
また、各段の右側分室４ａと左側分室４ｂの前面には、夫々の分室を開閉する左右に配した横開き扉７ａ、７ｂが上下のガイドレール６ａ、６ｂに沿って移動自在に設けられている。
【００３９】
このため、例えば、冷蔵室２の右側分室４ａに収納した物品の出し入れを行う際、右側分室４ａの前面の横開き扉７ａを開けたとき、冷気が外方へ漏れることになるが、その段の左側分室４ｂは縦状の仕切り部材と左側分室４ｂの前面の横開き扉７ｂによって閉ざされた状態にあるため、左側分室４ｂから冷気が漏れることはない。
【００４０】
また、冷蔵室２の何れかの段の左右何れかの横開き扉７ａ、７ｂを開けたときは、他の段の右側分室４ａ及び左側分室４ｂの横開き扉７ａ、７ｂを閉ざしている限り、冷気が外方に漏れるのを最小限に抑えることができるため、従来の冷蔵庫の外扉を開ける場合に比べて大幅に消費電力を削減することができ、節電効果を向上することが可能となる。
【実施例２】
【００４１】
本実施例の冷蔵庫１の保冷装置は、冷凍室又は野菜室等の引出室１２に設けるものである。即ち、図６に示すように、引出室１２の内部を右側と左側の分室１３ａ、１３ｂに仕切る縦状の仕切り部材１４（１４ａ、１４ｂ）を右側分室１３ａと左側分室１３ｂとの間に設けると共に、引出室１２の上部の前側と後側にガイドレール１５ａ、１５ｂを設け、この前後のガイドレール１５ａ、１５ｂに沿って移動自在に左右に配した横開き扉１６ａ、１６ｂを設けることによって、引出室１２の右側分室１３ａと左側分室１３ｂの各分室を左右の横開き扉１６ａ、１６ｂで開閉自在にしたものである。
【００４２】
このような構成について詳細に述べると、図７（ａ）、(ｂ)に示すように、引出室１２の上部の前側と後側にガイドレール１５ａ、１５ｂを接着剤等で取り付ける。なお、ガイドレール１５ａ、１５ｂの取付け方法は、引出室１２の上部の前側と後側に、予めガイドレール１５ａ、１５ｂに相当する形状を形成するようにしてもよい。
【００４３】
そして、このガイドレール１５ａ、１５ｂに沿って移動自在に左右に配した横開き扉１６ａ、１６ｂを設ける。これらの横開き扉１６ａ、１６ｂは、実施例１と同様に、透明アクリル樹脂板等を用い、横開き扉１６ａ、１６ｂの表面の所定箇所には取手１７を接着するか、横開き扉１６ａ、１６ｂの面に取手として機能するように指先を引掛ける溝（不図示）を形成するようにしてもよい。
【００４４】
また、引出室１２の内部には、図８（ａ）、（ｂ）に示すように、引出室１２の内部を右側と左側の分室１３ａ、１３ｂに仕切る縦状の仕切り部材１４を右側分室１３ａと左側分室１３ｂとの間に設ける。この仕切り部材１４は、図４（ａ）〜(ｄ)に示す実施例１の仕切り部材８と同様に、引出室１２の奥行きに応じた長さを有する横長の透明アクリル樹脂板等で作製することが可能である。
【００４５】
なお、本実施例においても、図８（ａ）、（ｂ）に示すように、仕切り部材１４を２枚の板材によって形成したのは、引出室１２の奥行きに応じて仕切り部材１４の上下幅を調整することを可能とするためのものである。即ち、２枚の仕切り部材１４ａ、１４ｂの夫々の下端面と上端面を重ね合わせ、重ね合せ部１４ｃに接着剤や両面接着テープ等で固定することによって上下幅を調整することを可能としている。
【００４６】
上記の構成により、本発明の冷蔵庫１の保冷装置を該冷蔵庫１の冷凍室又は野菜室等の引出室１２に設けることによって、引出室１２の内部を右側分室１３ａと左側分室１３ｂとに仕切る縦状の仕切り部材１４が設けられ、引出室１２を右側分室１３ａと左側分室１３ｂごとに配した左右の横開き扉１６ａ、１６ｂで開閉することが可能となる。従って、上記の冷蔵室２の場合と同様に、従来の冷蔵庫の引出室を開ける場合に比べて大幅に消費電力を削減することができ、節電効果を向上することが可能となる。
【００４７】
なお、本発明の上記の説明は、冷蔵庫１の本体側に設けられた冷蔵室２又は引出室１２に保冷装置を構成したものであるが、本発明の応用例として、冷蔵庫の外扉に、上記の保冷装置を設けることも可能である。
【００４８】
その構造について説明すると、不図示であるが、冷蔵庫の外扉の内側に縦方向に仕切り部材を設けることにより、冷蔵庫の外扉の内側を左右の分室に分けた状態にして、夫々の分室の前面側に左右に配した横開き扉を設けるとよい。
【００４９】
この場合、左右の横開き扉は、ロール状に巻き取ることができる構造にし、外扉を閉じるときは左右の横開き扉を巻き取って冷蔵庫の外扉の内側を開放した状態にして、冷蔵庫の本体側からの冷気が外扉の内側に入るようにする。そして、外扉を開けたときは、左右の横開き扉を閉じることによって冷蔵庫の外扉の内側を覆うようにして冷気を逃がさないようにする。また、物品を取り出すには、その物品のある側の横開き扉を開けて物品を取り出すようにすると、横開き扉を閉じた側の分室はその内部に冷気を保つことが可能となる。
【実施例３】
【００５０】
本実施例においては、図９に示すように、冷蔵庫１の外扉５の棚空間を左右に仕切る仕切板２０が設けられている。なお、本実施例においては、冷蔵庫１の設計の段階から外扉５の棚空間の左右の中央に縦方向に仕切板２０を設けた構成としているが、既成の冷蔵庫の場合、後付けで、夫々の棚２１を左右の棚空間１９ａ、１９ｂに仕切る仕切板２０を設けるようにしてもよい。
【００５１】
いずれにしても、本実施例においては、外扉５の棚空間を左右の棚空間１９ａ、１９ｂに仕切ると共に、夫々の左右の棚空間１９ａ、１９ｂを個々に覆うカバー２２ａ、２２ｂが設けられている。夫々のカバー２２ａ、２２ｂは、内部が透視可能な軟質性の合成樹脂から構成され、夫々のカバー２２ａ、２２ｂの左右の各側端部２３ａ、２３ｂを外扉５の左右の側端部に鋲、ボタン、両面テープ、磁石等で固定する一方、左右のカバー２２ａ、２２ｂの他の周縁箇所を磁石、両面テープ等の固定手段によって着脱自在に取り付けることにより、必要に応じて開閉可能にした構成としている。
【００５２】
また、上記の構成においては、図９に示すように、カバー２２ａ、２２ｂの所定箇所に複数の通気穴２４が形成されている。このような構成により、図１０（ａ）に示すように、左右の棚空間１９ａ、１９ｂを両側のカバー２２ａ、２２ｂで覆った状態にして、この外扉５を冷蔵庫１の本体側に閉じたとき、冷蔵庫１の内部の冷気がカバー２２ａ、２２ｂの各通気穴２４を通過し、左右の棚空間１９ａ、１９ｂの内部に流入することによって左右の棚空間１９ａ、１９ｂに設置した物品を冷やすことが可能となる。
【００５３】
また、上記の構成により、図１０（ｂ）に示すように、外扉５を冷蔵庫１の本体側から開いた状態にしたとき、左右の棚空間１９ａ、１９ｂのカバー２２ａ、２２ｂは夫々の左右の空間を閉じた状態にしているため、内部の冷気が外方に漏れることなく、保冷状態を保つことが可能となる。
【００５４】
また、図１０（ｂ）に示すように、外扉５を冷蔵庫１の本体側から開いた状態で、例えば右方のカバー２２ｂを開けることによって、開けた方の内部の物品を取り出すことが可能となる。このとき、左方のカバー２２ａは閉じられた状態を保つため、その空間は保冷状態を保つことができる。
【００５５】
従って、外扉５を開いたとき、従来の冷蔵庫のように、外扉５内の棚空間の冷気が一度に外方へ逃げることがなく、物品を取り出す側のカバー２２ａ又は２２ｂを素早くあけて、物品を取り出した後、素早く閉じることによって、外扉５の棚空間内は最小限の冷気を失うだけで元の保冷状態を保つことが可能となる。
【実施例４】
【００５６】
本実施例においては、図１１に示すように、冷蔵庫１のチルト室、野菜室又は冷凍室のように引き出した際に上方が開放される引出室１２の内部を左右の空間に仕切る仕切板２０が設けられている。
【００５７】
また、このような構成において、引出室１２の空間の側面にはガイド部材２５が設けられ、このガイド部材２５に支持される透視可能な合成樹脂からなる蓋部材２６が引出室１２の空間を開閉自在に閉塞するように設けられている。
【００５８】
さらに、蓋部材２６には、この蓋部材２６を持ち上げる際に手を掛けることができる引掛け穴２７が形成されているほか、蓋部材２６に左右の空間を跨ぐ開口部２８が設けられ、該開口部２８にスライド構造で開閉するシャッター２９が設けられている。
【００５９】
このシャッター２９は、引出室１２を冷蔵庫１の本体側に押し込んだ際に引出室１２の内部に冷蔵庫１の本体からの冷気が開口部２８を経て流入するようにしたものであり、引出室１２を閉じる際には、シャッター２９を開けておく必要がある。
【００６０】
上記の構成により、冷蔵庫１の引出室１２を引き出した際には、蓋部材２６によって引出室１２の内部空間が閉じられているため、引出室１２の内部空間から冷気が一度に漏れることなく、引出室１２内の保冷状態を保つことが可能となる。
【００６１】
また、冷蔵庫１の本体から引き出した引出室１２から内部の物品を取り出す際には、透視性の蓋部材２６を通して内部の物品を確かめ、素早く蓋部材２６を開けて物品を取り出してから蓋部材２６を閉じることにより、引出室１２の内部空間から失われる冷気を最小限に抑えることが可能となる。
【００６２】
なお、本実施例において、上記の蓋部材２６に設けた開口部２８のシャッター２９を移動する動作を無くすには、図１２に示す蓋部材２６の奥行き方向の幅を引出室１２の奥行き方向の幅よりも小さくことによって、蓋部材２６を閉じた前後に隙間３０ができるようにして、冷蔵庫１の本体からの冷気が隙間３０を経て流入する構成としてもよい。
【産業上の利用可能性】
【００６３】
本発明の冷蔵庫の保冷装置は、冷蔵室の各段の個室に左右方向に移動する横開き扉を設け、また冷凍室や野菜室等のように引出式の個室においても、左右方向に移動する横開き扉を設けることによって、室内の物品を取り出す際に、外部に漏れる冷気を最小限に抑え、これによって冷蔵庫の消費電力を抑えて節電効果を向上するようにした冷蔵庫の保冷装置として利用可能である。
【符号の説明】
【００６４】
１  冷蔵庫
２  冷蔵室
２ａ  天面
２ｂ  底面
３  棚部材
４  各段の個室
４ａ  右側分室
４ｂ  左側分室
５  外扉
６  ガイドレール
６ａ、６ｂ  上下のガイドレール
６ｃ  凹溝
７ａ、７ｂ  横開き扉
８  仕切り部材
８ａ、８ｂ  ２枚の仕切り部材
８ｃ  重ね合わせ部
９ａ、９ｂ  上下のガイドレール
９ｃ  凹溝
１１  取手
１２  引出室
１３ａ  右側分室
１３ｂ  左側分室
１４  仕切り部材
１４ａ、１４ｂ  ２枚の仕切り部材
１４ｃ  重ね合わせ部
１５ａ、１５ｂ  上下のガイドレール
１６ａ、１６ｂ  横開き扉
１７  取手
１８ａ、１８ｂ  前後のガイドレール
１９ａ、１９ｂ  左右の棚空間
２０  仕切板
２１  棚
２２ａ、２２ｂ  カバー
２３ａ、２３ｂ  カバーの左右の側端部
２４  通気穴
２５  ガイド部材
２６  蓋部材
２７  引掛け穴
２８  開口部
２９  シャッター
３０  隙間
【図１】
2013050289.tif 000003
【図２】
2013050289.tif 000004
【図３】
2013050289.tif 000005
【図４】
2013050289.tif 000006
【図５】
2013050289.tif 000007
【図６】
2013050289.tif 000008
【図７】
2013050289.tif 000009
【図８】
2013050289.tif 000010
【図９】
2013050289.tif 000011
【図１０】
2013050289.tif 000012
【図１１】
2013050289.tif 000013
【図１２】
2013050289.tif 000014